(57)【要約】【課題】製造が簡単であって、全面プリントもでき、ハガキとしての利用も可能である斬新なポップアップ式カードを提供すること。【解決手段】第２内側紙片２２と第１内側紙片２１にはそれらの境界の折り予定線ｃに直交する２本のカット２３，２４とその折り予定線ｃに平行でかつ２本のカット２３，２４の端部同士を繋ぐミシン目２５，２６とにより矩形状のポップアップ部分Ｐが区画されており、表面側は全体に渡って弱接着面とされており、裏面側は全体に渡って強接着面とされ、さらに第１外側紙片１１と第２外側紙片１２の裏面側にはこれらを第２内側紙片２２と第１内側紙片２１に対して折り曲げた時にポップアップ部分Ｐと重なる領域に強接着面の上から糊殺し用のベタ印刷Ｎが施されてなる帳票を、裏面側を内側にして２つ折りし、さらにポップアップ部分Ｐのある側を内側にして２つ折りした後、圧着加工して作製される。【選択図】　　　　図２
2004142363.tif 000002
【特許請求の範囲】
【請求項１】
第１外側紙片と第２外側紙片と第２内側紙片と第１内側紙片とが折り予定線を介してこの順で横に繋がっており、第２内側紙片と第１内側紙片にはそれらの境界の折り予定線に交差する２本のカットとその折り予定線に平行でかつ２本のカットの端部同士を繋ぐ折曲げ線とにより矩形状のポップアップ部分が区画されており、表面側は全体に渡って弱接着面とされており、裏面側は全体に渡って強接着面とされ、さらに第１外側紙片と第２外側紙片の裏面側にはこれらを第２内側紙片と第１内側紙片に対して折り曲げた時に前記ポップアップ部分と重なる領域に強接着面の上から糊殺し用のベタ印刷が施されてなる帳票を、裏面側を内側にして２つ折りし、さらにポップアップ部分のある側を内側にして２つ折りした後、圧着加工して作製されることを特徴とするポップアップ式カード。
【請求項２】
折曲げ線がミシン目であることを特徴とする請求項１に記載のポップアップ式カード。
【請求項３】
サイズがハガキ大があることを特徴とする請求項１，２又は３に記載のポップアップ式カード。
【発明の詳細な説明】
【０００１】
【発明の属する技術分野】
本発明は、開封すると立体化できるカードであって、ダイレクトメール用ハガキ、招待状カード等として好適に用いられるポップアップ式カードに関するものである。
【０００２】
【従来の技術】
従来より、このようなポップアップ式カードに類似するものとして、開封して見開くことにより立体化できるタイプの封書が知られている（例えば、特許文献１、特許文献２参照。）。
【０００３】
【特許文献１】
特開平９−７１０６８号公報
【特許文献２】
特開平１１−１０５４６６号公報
【０００４】
【発明が解決しようとする課題】
従来の技術で述べた以前のポップアップ式の封書は、開封すると視覚的な訴求効果に優れているという利点はあるものの、ハガキとして使用することはできず、あくまでも封書として送付しなければならない。そのため、郵便料金が高いという問題点があった。また、作製に際してはどれも複雑な折り加工を必要としており、さらにプリントを施す場合も制約が多く、全面にプリントを施すことが難しいという問題点もあった。
【０００５】
本発明は、このような事情に鑑みてなされたものであり、その目的とするところは、製造が簡単であって、全面プリントもでき、ハガキとしての利用も可能である斬新なポップアップ式カードを提供することにある。
【０００６】
【課題を解決するための手段】
上記の目的を達成するため、本発明のポップアップ式カードは、第１外側紙片と第２外側紙片と第２内側紙片と第１内側紙片とが折り予定線を介してこの順で横に繋がっており、第２内側紙片と第１内側紙片にはそれらの境界の折り予定線に交差する２本のカットとその折り予定線に平行でかつ２本のカットの端部同士を繋ぐ折曲げ線とにより矩形状のポップアップ部分が区画されており、表面側は全体に渡って弱接着面とされており、裏面側は全体に渡って強接着面とされ、さらに第１外側紙片と第２外側紙片の裏面側にはこれらを第２内側紙片と第１内側紙片に対して折り曲げた時に前記ポップアップ部分と重なる領域に強接着面の上から糊殺し用のベタ印刷が施されてなる帳票を、裏面側を内側にして２つ折りし、さらにポップアップ部分のある側を内側にして２つ折りした後、圧着加工して作製されることを特徴としている。
【０００７】
【発明の実施の形態】
以下、具体例を挙げ、図面を参照しながら本発明について説明する。
【０００８】
図１は本発明に係るポップアップ式カードを作製するため連続帳票の１区画を表面側から見た状態で示す平面図、図２は同じく裏面側から見た状態で示す平面図である。
【０００９】
図１及び図２に示すように、帳票Ｆは、第１外側紙片１１と第２外側紙片１２と第２内側紙片２２と第１内側紙片２１とが折り予定線ａ，ｂ，ｃを介してこの順で横に繋がった横長状をしている。なお、帳票Ｆは両サイドに搬送用の送り孔が形成されたマージナル領域を有しているが、ここは後で切り取られる部分であり、各紙片は最終的には同じサイズになる。
【００１０】
帳票における第２内側紙片２２と第１内側紙片２１には、それらの境界の折り予定線ｃに直角に交差する２本のカット２３，２４と折り予定線ｃに平行でかつ２本のカット２３，２４の端部同士を繋ぐ折曲げ線２５，２６とにより矩形状のポップアップ部分Ｐが区画されている。図示の例では、折り予定線ｃが中心線となる位置でポップアップ部分Ｐが設けられている。また、折曲げ線２５，２５はミシン目で形成しているが、物理的に折曲げ強度が低下した線であれば特に限定されない。
【００１１】
帳票Ｆの表面側は個人情報等のプリント面であり、プリントの上から弱接着性の接着剤が塗布されることで、全面に渡って弱接着面とされている。また、帳票Ｆの裏面側には強接着性の接着剤が塗布され、全体に渡って強接着面とされている。そして、第１外側紙片１１と第２外側紙片１２の裏面側にはこれらを第２内側紙片２２と第１内側紙片２１に対して折り曲げた時にポップアップ部分Ｐと重なる領域に強接着面の上から糊殺し用ベタ印刷Ｎが施されている。
【００１２】
そして、図１及び図２に示す展開状態の帳票を、図３（ａ）から図３（ｂ）に示す如く裏面側を内側にして２つ折りし、さらに図３（ｂ）から図３（ｃ）に示す如くポップアップ部分のある側を内側にして２つ折りした後、圧着加工して本発明のホップアップ式カードが作製される。この圧着加工のとき、図４（ａ）に示すように、送り孔のあるマージナル領域を切り取るため、矢印のところをスリッターにより切断し、例えばハガキのようなカードＣの形態にする。図４（ｂ）はマージナル領域切断の様子を圧着済み帳票の底面側から見た状態で示す説明図である。
【００１３】
このようにして作製されたカードは、外面と開封内側面すべてがプリント面になっている。そして、カードの開封組立の手順は次のようである。まず、図５に示すように、弱接着面になっている第１内側紙片２１と第２内側紙片２２の間を剥がして開封する。この剥離動作を行うため、コーナーに未接着状態の切っ掛けを残して置くようにするとよい。次に、露出したポップアップ部分Ｐを手前（矢印方向）に引き、図６に示すように、折り線の凹凸を逆向きにすることでポップアップ分Ｐを起こした状態にする。この場合、ホップアップ部分Ｐの裏面は糊殺し用ベタ印刷Ｎに向かい合っていて接着していないので、指先で起こして立体化することができる。
【００１４】
以上、一つの具体例を挙げて本発明の実施の形態について説明したが、本発明によるポップアップ式カードは、上記実施の形態に何ら限定されるものではなく、本発明の趣旨を逸脱しない範囲において種々の変更が可能であることは当然のことである。
【００１５】
【発明の効果】
本発明のポップアップ式カードは、第１外側紙片と第２外側紙片と第２内側紙片と第１内側紙片とが折り予定線を介してこの順で横に繋がっており、第２内側紙片と第１内側紙片にはそれらの境界の折り予定線に交差する２本のカットとその折り予定線に平行でかつ２本のカットの端部同士を繋ぐ折曲げ線とにより矩形状のポップアップ部分が区画されており、表面側は全体に渡って弱接着面とされており、裏面側は全体に渡って強接着面とされ、さらに第１外側紙片と第２外側紙片の裏面側にはこれらを第２内側紙片と第１内側紙片に対して折り曲げた時に前記ポップアップ部分と重なる領域に強接着面の上から糊殺し用のベタ印刷が施されてなる帳票を、裏面側を内側にして２つ折りし、さらにポップアップ部分のある側を内側にして２つ折りした後、圧着加工して作製されることを特徴としているので、４つ折りした後で圧着するだけという簡単な工程で製造することができる。しかも、表裏すべてにプリントを施すことができる。また、全面を圧着した１枚ものの形態をしていることから、ダイレクトメール等のハガキとしての利用も可能である。
【図面の簡単な説明】
【図１】本発明に係るポップアップ式カードを作製するため連続帳票の１区画を表面側から見た状態で示す平面図である。
【図２】同じく裏面側から見た状態で示す平面図である。
【図３】図１及び図２に示した帳票を折り加工する手順を示す説明図である。
【図４】折り加工した帳票を圧着するとともにマージナル領域を切断する様子を示す説明図である。
【図５】本発明に係るポップアップ式カードを開封する様子を示す斜視図である。
【図６】本発明に係るポップアップ式カードを開封して組み立てた状態で示す斜視図である。
【符号の説明】
１１　第１外側紙片
１２　第２外側紙片
２１　第１内側紙片
２２　第２内側紙片
２３，２４　カット
２５，２６　折曲げ線
Ｎ　糊殺し用ベタ印刷
Ｐ　ポップアップ部分
ａ，ｂ，ｃ　折り予定線
【図１】
2004142363.tif 000003
【図２】
2004142363.tif 000004
【図３】
2004142363.tif 000005
【図４】
2004142363.tif 000006
【図５】
2004142363.tif 000007
【図６】
2004142363.tif 000008